(57)【要約】【課題】消波体が破損した場合に、その破損した消波体を新たなものと交換し、原状に容易に復旧し得る護岸構築物を提供すること。【解決手段】護岸基礎１上に、底盤８と消波体固定座９とを有する護岸体７を、前記底盤８を介して設置し、前記護岸体７の消波体固定座９の上部に、内部に遊水室１８を有し、かつ前壁には上下方向と左右方向とにそれぞれ複数の消波孔１７を前記遊水室１８に連通させて設けてなる有底の消波体１５を取り外し可能に設置して構成した。【選択図】      図３
2004169493.tif 000002
【特許請求の範囲】
【請求項１】
護岸基礎（１）上に、底盤（８）と、この底盤（８）上に形成された消波体固定座（９）とを有する護岸体（７）を、前記底盤（８）を介して設置し、
前記護岸体（７）の消波体固定座（９）の上部に、内部に遊水室（１８）を有し、かつ前壁には上下方向と左右方向とにそれぞれ複数の消波孔（１７）を前記遊水室（１８）に連通させて設けてなる有底の消波体（１５）を取り外し可能に設置した、
ことを特徴とする護岸構築物。
【請求項２】
前記消波体固定座（９）の上部に、かさ上げブロック（２６）を載置し、このかさ上げブロック（２６）の上部に、前記消波体（１５）を設置することを特徴とする請求項１記載の護岸構築物。
【請求項３】
捨石マウンド（４１）上に、底盤（４８）と、この底盤（４８）上に形成された消波体固定座（４９）とを有するケーソン本体（４７）を、前記底盤（４８）を介して設置し、
前記ケーソン本体（４７）の消波体固定座（４９）の上部に、内部に遊水室（５９）を有し、かつ前壁には上下方向と左右方向とにそれぞれ複数の消波孔（５８）を前記遊水室（５９）に連通させて設けてなる有底の消波体（５６）を取り外し可能に設置した、
ことを特徴とする防波堤。
【請求項４】
前記消波体固定座（４９）の上部に、かさ上げブロック（６３）を載置し、このかさ上げブロック（６３）の上部に、前記消波体（５６）を設置することを特徴とする請求項３記載の防波堤。
【発明の詳細な説明】
【０００１】
【発明の属する技術分野】
本発明は、消波体を用いた護岸構築物および防波堤に係り、特に必要に応じて消波体を交換したり、消波体を所望の高さにかさ上げするために好適な護岸構築物および防波堤に関する。
【０００２】
【従来の技術】
従来、この種の構造物としては、例えば本発明の出願人により開発された消波型ケーソンと、これを用いた消波構築物である防波堤が特許第２７６２００１号公報に開示され、さらに改良された消波型ケーソンが特許第３０５１３４３号公報に開示されている。
【０００３】
【発明が解決しようとする課題】
しかし、消波型ケーソンを用いた前記従来の消波構築物は、ケーソン本体と消波体とが不離一体の構築物として築造されている。すなわち、ケーソン本体から消波体部分を取り外し可能に取り付けて消波体を交換したり、または消波体をかさ上げしたりすることについて配慮されていない。
【０００４】
したがって、消波型ケーソンを用いた従来の消波構築物では、例えば消波体に係留船が衝突して破損した場合に、新たな消波体と交換することができないという課題があった。
【０００５】
また、消波構築物の基礎が沈下した場合に、消波体をかさ上げし、消波孔を適正位置に調整することができないという課題もあった。
【０００６】
本発明は、上記の事情に鑑みなされたもので、その目的とするところは、消波体が破損した場合に、その破損した消波体を取り外し、新たな消波体と容易に交換し得る護岸構築物および防波堤を提供することにある。
【０００７】
また、本発明の他の目的は、消波構築物の基礎が沈下した場合に、消波体をかさ上げし、消波孔を適正位置に、容易に調整し得る護岸構築物および防波堤を提供することにある。
【０００８】
【課題を解決するための手段】
前記目的を達成するため、本発明護岸構築物では護岸基礎１上に、底盤８と、この底盤８上に形成された消波体固定座９とを有する護岸体７を、前記底盤８を介して設置し、前記護岸体７の消波体固定座９の上部に、内部に遊水室１８を有し、かつ前壁には上下方向と左右方向とにそれぞれ複数の消波孔１７を前記遊水室１８に連通させて設けてなる有底の消波体１５を取り外し可能に設置している。
【０００９】
また、前記目的を達成するため、本発明護岸構築物では前記消波体固定座９の上部に、かさ上げブロック２６を載置し、このかさ上げブロック２６の上部に、前記消波体１５を設置している。
【００１０】
また、前記目的を達成するため、本発明防波堤では捨石マウンド４１上に、底盤４８と、この底盤４８上に形成された消波体固定座４９とを有するケーソン本体４７を、前記底盤４８を介して設置し、前記ケーソン本体４７の消波体固定座４９の上部に、内部に遊水室５９を有し、かつ前壁には上下方向と左右方向とにそれぞれ複数の消波孔５８を前記遊水室５９に連通させて設けてなる有底の消波体５６を取り外し可能に設置している。
【００１１】
さらに、前記目的を達成するため、本発明防波堤では前記消波体固定座４９の上部に、かさ上げブロック６３を載置し、このかさ上げブロック６３の上部に、前記消波体５６を設置している。
【００１２】
【発明の実施の形態】
以下、本発明の実施例を図面に基づいて説明する。
【００１３】
（実施例１）
図１〜図７は本発明の実施例１を示すもので、図１は消波体を用いた護岸構築物の使用状態の鳥瞰図、図２は同護岸構築物の一つのユニットの正面図、図３は図２のＡ−Ａ線縦断側面図、図４は図３のＢ−Ｂ矢視図、図５は図３のＣ−Ｃ線横断平面図、図６は図３のＤ−Ｄ矢視図、図７は施工順序の説明図である。
【００１４】
これら図１〜図７に示す実施例１の護岸構築物５は、護岸基礎１上に構築されている。
【００１５】
前記護岸基礎１は、基礎捨石２を断面ほぼ台形に敷き詰めて築造されている。また、基礎捨石２の上面における護岸構築物５の前後には、根固方塊３が固定されている。さらに、基礎捨石２の上面における根固方塊３の外側には、被覆石４が敷き詰められている。
【００１６】
ところで、護岸構築物５は図１に示すように、前記護岸基礎１の上面に、複数のユニット６を左右方向に直列に配置し、定着させて構築されている。
【００１７】
前記護岸構築物５の各ユニット６は、図１〜図３に示すように、護岸体７と、消波体１５と、上蓋消波体２０と、パラペット２３とを装備している。
【００１８】
前記護岸体７は、図３および図４に示すように、底盤８と、消波体固定座９と、この消波体固定座９の後側に背高に形成された後壁１０と、前記底盤８から後壁１０にわたって形成された控え壁１１とを有して構成されている。前記消波体固定座９は、図２および図４に示すように、断面ほぼ半円形の筒体を左右方向に２連一体に接続した形状に形成されている。この消波体固定座９の内部には、図３および図４に示すように、充填物室１２が形成されている。この充填物室１２には、充填物１３として中詰砂が充填されている。前記護岸体７の後壁１０の背後には、図３に示すように、後壁１０の高さに裏込石１４が敷き詰められ、整地されている。
【００１９】
そして、前記護岸体７は図１および図３に示すように、底盤８を介して護岸基礎１上の決められた位置に設置されている。
【００２０】
前記消波体１５は、図１〜図３および図５に示すように、断面ほぼ半円形の筒体を左右方向に２連一体に形成されていて、平面から見て前記消波体固定座９と合同の形状に形成されている。この消波体１５は、底部１６を有しており、この底部１６の下半部１６′は図３から分かるように、消波体固定座９の充填物室１２内に嵌合する形状に形成されている。前記消波体１５には、前壁に複数の消波孔１７が設けられ、内部には遊水室１８が形成されている。前記消波孔１７は、この実施例では消波体１５を構成している筒体の一つに対して、左右方向に４個、上下方向に３個、合計１２個設けられている。各消波孔１７は、長方形に形成され、それぞれ遊水室１８に連通している。
【００２１】
前記消波体１５は、図３に示すように、消波体固定座９の上面と消波体１５の底部１６との間に、ゴム板製等の緩衝材１９を介装し、かつ消波体固定座９の充填物室１２に消波体１５の底部１６の下半部１６′を嵌合させて消波体固定座９上に取り外し可能に設置されている。また、この消波体１５は消波体固定座９の後側に背高に形成された後壁１０によりバックアップされている。
【００２２】
前記上蓋消波体２０は、図１〜図３および図６に示すように、平面から見て消波体１５を覆い得る大きさの矩形に形成されている。また、この上蓋消波体２０は図３に示すように、断面逆凹字形に形成されていて、内部に前記消波体１５の遊水室１８に連通する空気室２１が形成されている。さらに、上蓋消波体２０の前壁には前記消波体１５を構成している筒体の一つに対して少なくとも１個の、空気抜き孔２２が設けられている。各空気抜き孔２２は、前記空気室２１を通じて遊水室１８に連通している。
【００２３】
そして、前記上蓋消波体２０は消波体１５の上部に設置され、上蓋消波体２０の上壁から消波体１５の前壁にわたって装着された固着部材２４としてのアンカボルトを介して、消波体１５に固定されている。
【００２４】
前記パラペット２３は、図１〜図３および図６から分かるように、護岸体７の後壁１０の背後に敷き詰められかつ整地された裏込石１４上に設けられている。また、このパラペット２３は固着部材２５としてのアンカ筋により前記上蓋消波体２０に連結されている。
【００２５】
前記護岸構築物５を護岸基礎１上に据え付ける場合は、次の手順によって行う。
なお、護岸基礎１は既に築造されているものとする。
【００２６】
まず、陸上または図７に示すクレーン船３１上で、護岸構築物５のユニット６を構成している護岸体７の消波体固定座９内に形成された充填物室１２に、充填物１３として中詰砂を充填し、消波体固定座９の上部に緩衝材１９をはさんで、消波体１５の底部１６の下半部１６′を嵌合させ、消波体１５を設置する。
【００２７】
ついで、消波体１５の上部に上蓋消波体２０を設置し、この上蓋消波体２０を固着部材２４を介して消波体１５に結合する。
【００２８】
前記護岸体７と消波体１５と上蓋消波体２０の組み立て体を図７の▲１▼に示すごとく、クレーン船３１に配備されたクレーン３２により吊り上げ、護岸基礎１上にあらかじめ設定された位置および方向に設置する。
【００２９】
つぎに、護岸体７の後壁１０の背後に、図７の▲２▼に示すように、前記クレーン３２のグラブ３３により裏込石１４を投下し、転圧して後壁１０の高さに整地する。
【００３０】
ついで、前述のごとく敷き詰められた裏込石１４上に、図７の▲３▼に示すように、コンクリートプラント船３４に配備されたコンクリートプラント３５によりコンクリートを打設し、パラペット２３を成型するとともに、このパラペット２３を固着部材２５により上蓋消波体２０に結合し、図７の▲４▼に示すごとく、一つのユニット６を据え付ける。
【００３１】
以上の施工手順を繰り返して行い、左右方向に必要組数のユニット６を据え付けて行くことによって、図１に示す護岸構築物５が完成する。
【００３２】
前述のごとく構築されたこの実施例１の護岸構築物５によれば、波浪が押し寄せる方向に、護岸体７における断面ほぼ半円形の筒体を左右に二つ並べて接続した形状の消波体固定座９と、平面から見て前記消波体固定座９と合同の形状に形成されかつ消波孔１７を上下方向および左右方向にそれぞれ複数個ずつ設けた消波体１５とを組み立てて据え付けているので、波浪に対する反射率を小さく、反射効果を大きくなし得る。
【００３３】
また、護岸体７の消波体固定座９と、消波体１５とを断面ほぼ半円形の筒体を２連一体に接続した形状に形成しているので、据え付け能率を大幅に高めることができる。
【００３４】
さらに、消波体１５の上部に、空気抜き孔２２を有する上蓋消波体２０を設置しているので、消波体１５の遊水室１８内の空気が波力により圧縮され上蓋消波体２０を持ち上げるような異常な圧力の発生を未然に防止することができる。
【００３５】
さらにまた、上蓋消波体２０の上面を作業ヤードとして有効に利用することができる。
【００３６】
そして、この実施例１の護岸構築物５では、ユニット６における護岸体７の消波体固定座９に、消波体１５を取り外し可能に設置しているので、例えば係留船が衝突し、消波体１５が破損した場合には、その破損した消波体１５を取り外し、新たな消波体に交換し、原状に容易に復旧させることができる。
【００３７】
ところで、この実施例１では護岸基礎１が沈下した場合には、各ユニット６をかさ上げし、消波体１５に設けられている消波孔１７の作用位置を調整するようにしている。
【００３８】
図８〜図１１は実施例１において、護岸構築物をかさ上げした場合を示すもので、図８は一つのユニットの正面図、図９は図８のＥ−Ｅ線縦断側面図、図１０は図９のＦ−Ｆ矢視図、図１１はかさ上げ施工順序の説明図である。
【００３９】
これら図８〜図１１に示すように、各ユニット６の護岸体７の消波体固定座９の上部に、緩衝材２７をはさんでかさ上げブロック２６が載置されており、このかさ上げブロック２６の上部に、他の緩衝材２８をはさんで消波体１５が設置されている。
【００４０】
前記かさ上げブロック２６は、図１０に示すように、平面から見てほぼ半円形のブロックを左右方向に２連一体に接続した形状に形成されていて、平面から見た外形が前記消波体固定座９および消波体１５と合同の形状に形成されている。また、かさ上げブロック２６の底部の下半部は、消波体固定座９の充填物室１２に嵌合する形状に形成されている。さらに、かさ上げブロック２６の上部は、消波体１５の底部１６の下半部１６′を嵌合させ得る形状に形成されている。
【００４１】
前記消波体１５の上部には、前記図１〜図７に示す場合と同様、上蓋消波体２０が設置されており、消波体１５と上蓋消波体２０とは、固着部材２４としてのアンカボルトにより結合されている。
【００４２】
前記護岸体７の後壁１０の背後に敷き詰められた裏込石１４上に設けられたパラペット２３の上部には、前記上蓋消波体２０の上面と同一面になるように、かさ上げパラペット２９が打設されている。前記かさ上げパラペット２９と上蓋消波体２０とは、固着部材２５としてのアンカ筋により結合されている。
【００４３】
つぎに、既設の護岸構築物５の各ユニット６をかさ上げするときの施工手順を説明すると、まず図１１の▲１▼に示すように、互いに結合されている上蓋消波体２０とパラペット２３におけるパラペット２３側の結合部分をはつり、固着部材２５であるアンカ筋を露出させる。
【００４４】
ついで、図１１の▲２▼に示すように、クレーン船３１に配備されたクレーン３２により、消波体１５と上蓋消波体２０とを一緒に吊り上げ、消波体固定座９から取り外す。
【００４５】
続いて、図１１の▲３▼に示すように、クレーン船３１上の邪魔にならない位置上に、前記消波体１５と上蓋消波体２０の一体化物をいったん置く。そして、消波体固定座９の上面に緩衝材（図１１では省略。以下同じ。）を配置する。ついで、同図１１の▲３▼に示すように、クレーン３２によりかさ上げブロック２６を吊り上げ、そのかさ上げブロック２６を消波体固定座９上に吊り込み、消波体固定座９の上部にかさ上げブロック２６を嵌合し、載置する。
【００４６】
つぎに、かさ上げブロック２６の上面に緩衝材を配置し、クレーン３２により消波体１５と上蓋消波体２０の一体化物を設置する。ついで、図１１の▲４▼に示すように、パラペット２３の上部にコンクリートポンプ車３６によりコンクリートを流し込み、上蓋消波体２０と面一にかさ上げパラペット２９を打設するとともに、かさ上げパラペット２９と上蓋消波体２０とを固着部材２５であるアンカ筋により結合する。
【００４７】
前述のかさ上げ作業を繰り返して行うことによって、各ユニット６を所要高さにかさ上げすることができる。
【００４８】
以上により、護岸基礎１が沈下した場合であっても、消波体１５をかさ上げし、消波孔１７の作用位置を消波効果を発揮する適正位置に、容易に調整することができる。
【００４９】
ここで、消波孔１７の消波効果の最適位置を、（Ｌ．Ｗ．Ｌ＋波高）／２〜（Ｈ．Ｗ．Ｌ＋波高）／２間で決定し、消波孔１７の全体の開口率が３０％のとき、最大の消波効果を発揮する。なお、Ｌ．Ｗ．ＬおよびＨ．Ｗ．Ｌを、後述の図１３、図１７に示す。
【００５０】
この実施例１において、前記消波体固定座９、消波体１５およびかさ上げブロック２６は、図示の断面ほぼ半円形を２連一体に接続した形状に限らず、断面ほぼ山形の形状のものを２連一体に接続した形状に形成しても良い。
【００５１】
（実施例２）
図１２〜図１５は本発明の実施例２を示すもので、図１２は消波体を用いた防波堤の一つのユニットの正面図、図１３は図１２のＧ−Ｇ線縦断側面図、図１４および図１５は図１３のＨ−Ｈ線およびＩ−Ｉ線横断平面図である。
【００５２】
これら図１２〜図１５に示す実施例２における防波堤４５は、捨石マウンド４１上に構築されている。
【００５３】
前記捨石マウンド４１は、捨石４２を断面ほぼ台形に敷き詰めて築造されている。また、捨石マウンド４１の上面における防波堤４５の前後には、根固方塊４３が固定されている。さらに、捨石マウンド４１の上面における根固方塊４３の外側には、被覆石４４が敷き詰められている。
【００５４】
前記防波堤４５は、前記捨石マウンド４１の上面に、複数のユニット４６を左右方向に直列に配置し、定着させて構築されている。
【００５５】
前記防波堤４５の各ユニット４６は、図１２および図１３に示すように、ケーソン本体４７と、消波体５６と、パラペット６１とを装備している。
【００５６】
前記ケーソン本体４７は、図１２〜図１４に示すように、底盤４８と、消波体固定座４９と、第１，第２の後壁５１，５２とを有して構成されている。前記消波体固定座４９は、図１２および図１４に示すように、底盤４８上の前側に断面ほぼ半円形の筒体を左右方向に２連一体に接続した形状に形成されている。この消波体固定座４９の内部には、充填物室５０が形成されており、この充填物室５０には充填物５５として中詰砂が充填されている。前記第１の後壁５１は、図１３に示すように、消波体固定座４９の後壁に続いて背高に形成されている。一方、第２の後壁５２は前記第１の後壁５１との間に前後方向に所定の間隔をおいて、底盤４８上に前記第１の後壁に５１と同じ高さに形成されている。前記底盤４８上の後側には、第１，第２の後壁５１，５２と左右側壁とに囲まれた充填物室５３が形成されており、この充填物室５３内は隔壁５４により仕切られている。また、この充填物室５３にも充填物５５として中詰砂が充填されている。
【００５７】
そして、前記ケーソン本体４７は底盤４８を介して捨石マウンド４１上の決められた位置および方向に設置されている。
【００５８】
前記消波体５６は、図１２，図１３および図１５に示すように、断面ほぼ半円形の筒体を左右方向に２連一体に接続した形状に形成されていて、平面から見て前記消波体固定座４９と合同の形状に形成されている。この消波体５６は、底部５７を有しており、この底部５７の下半部５７′は図１３に示すように、消波体固定座４９の充填物室５０内に嵌合する形状に形成されている。前記消波体５６には、前壁に複数の消波孔５８が設けられ、内部には遊水室５９が形成されている。前記消波孔５８は、この実施例では消波体５６を構成している筒体の一つに対して、左右方向に４個、上下方向に３個、合計１２個設けられている。各消波孔５８は、長方形に形成され、それぞれ遊水室５９に連通している。
【００５９】
前記消波体５６は、図１３に示すように、消波体固定座４９の上面と消波体５６の底部５７との間に、ゴム板製等の緩衝材６０を介装し、かつ消波体固定座４９の充填物室５０に消波体５６の底部５７の下半部５７′を嵌合させて消波体固定座４９上に取り外し可能に設置されている。また、この消波体５６は消波体固定座４９の後側に背高に形成された第１の後壁５１によりバックアップされている。
【００６０】
前記パラペット６１は、図１３に示すように、第１，第２の後壁５１，５２上に設けられている。そして、このパラペット６１は固着部材６２としてのアンカボルトを介して前記消波体５６と結合されている。
【００６１】
前記捨石マウンド４１上に防波堤４５を据え付ける場合は、防波堤４５のユニット４６を構成しているケーソン本体４７における消波体固定座４９内の充填物室５０と、消波体固定座４９の後側に形成された充填物室５３とにそれぞれ充填物５５としての中詰砂を充填し、消波体固定座４９の上部に緩衝材６０をはさんで消波体５６の底部５７の下半部５７′を嵌合させ、消波体５６を設置する。
【００６２】
ついで、前記ケーソン本体４７と消波体５６の組み立て体を、クレーン等の荷役機械により捨石マウンド４１上の所定位置に吊り込み、捨石マウンド４１にあらかじめ設定された位置および方向に降ろし、設置する。
【００６３】
つぎに、消波体固定座４９の後側の第１，第２の後壁５１，５２上にパラペット６１を設け、パラペット６１と消波体５６とを固着部材６２としてのアンカボルトを介して結合し、一つのユニット４６を据え付ける。
【００６４】
以上の施工手順を繰り返して行い、左右方向に必要組数のユニット４６を据え付けて行くことによって、防波堤４５が完成する。
【００６５】
このようにして構築されたこの実施例２の防波堤４５によれば、波浪が押し寄せる方向に、ケーソン本体４７における断面ほぼ半円形の筒体を左右に２連一体に接続した形状の消波体固定座４９と、平面から見て前記消波体固定座４９と合同の形状に形成されかつ消波孔５８を上下方向および左右方向にそれぞれ複数個ずつ設けた消波体５６とを組み立てて据え付けているので、波浪に対する反射率を小さく、反射効果を大きくすることができる。
【００６６】
また、この実施例２においても、ケーソン本体４７の消波体固定座４９と、消波体５６とを断面ほぼ半円形の筒体を２連一体に接続した形状に形成しているので、据え付け能率を大幅に高めることができる。
【００６７】
さらに、この実施例２の防波堤４５では、ユニット４６におけるケーソン本体４７の消波体固定座４９に、消波体５６を取り外し可能に設置しているので、例えば係留船が衝突し、消波体５６が破損してしまったような場合には、その破損した消波体５６を取り外し、新たな消波体に交換し、原状に容易に復旧させることができる。
【００６８】
続いて、図１６〜図１８は実施例２において、防波堤をかさ上げした場合を示すもので、その図１６は一つのユニットの正面図、図１７は図１６のＪ−Ｊ線縦断側面図、図１８は図１７のＫ−Ｋ矢視図である。
【００６９】
前記捨石マウンド４１が沈下した場合には、消波体５６をかさ上げし、消波体５６に設けられた消波孔５８を、消波効果を発揮する適正位置に調整する。
【００７０】
図１６〜図１８は消波体５６をかさ上げした状態を示すもので、ケーソン本体４７における消波体固定座４９の上面との間に緩衝材６４をはさんで、消波体固定座４９上にかさ上げブロック６３が載置されており、さらにかさ上げブロック６３の上面との間に他の緩衝材６５をはさんで、かさ上げブロック６３上に消波体５６が設置されている。
【００７１】
前記かさ上げブロック６３は、図１８に示すように、平面から見てほぼ半円形のブロックを左右方向に２連一体に接続した形状に形成されていて、平面から見た外形が前記消波体固定座４９および消波体５６と合同の形状に形成されている。また、かさ上げブロック６３の底部の下半部は、消波体固定座４９の充填物室５０に嵌合する形状に形成されている。さらに、かさ上げブロック６３の上部は、消波体５６の底部５７の下半部５７′を嵌合させ得る形状に形成されている。
【００７２】
前記パラペット６１の上部には、かさ上げパラペット６６が打設されている。このかさ上げパラペット６６と、かさ上げされた消波体５６とは、固着部材６２としてのアンカボルトにより結合されている。
【００７３】
つぎに、既設の防波堤４５の各ユニット４６をかさ上げするときの施工手順を説明すると、まず消波体５６とパラペット６１の結合部分の、パラペット６１側の部分をはつり、固着部材６２を露出させる。
【００７４】
ついで、クレーン等により消波体５６を吊り上げ、消波体固定座４９から消波体５６を取り外し、邪魔にならない位置に置く。
【００７５】
続いて、消波体固定座４９の上面に緩衝材６４を配置する。ついで、クレーン等によりかさ上げブロック６３を消波体固定座４９上に吊り込み、消波体固定座４９の上部にかさ上げブロック６３を嵌合し、載置する。
【００７６】
つぎに、かさ上げブロック６３の上面に緩衝材６５を配置した後、クレーン等により消波体５６をかさ上げブロック６３の上方に吊り込み、この消波体５６を第１の後壁５１に沿って降ろし、かさ上げブロック６３上に消波体５６を嵌合させて設置する。
【００７７】
つぎに、パラペット６１の上部にかさ上げパラペット６３を打設するとともに、このかさ上げパラペット６３と消波体５６とを固着部材６２により結合する。
【００７８】
前述のかさ上げ作業を繰り返し行うことによって、各ユニット４６を所要高さにかさ上げすることができる。
【００７９】
以上説明したように、捨石マウンド４１が沈下した場合であっても、消波体５６をかさ上げし、消波孔５８の作用位置を消波効果を発揮する適正位置に、容易に調整することができる。
【００８０】
なお、この実施例２においても、前記消波体固定座４９、消波体５６およびかさ上げブロック６３の形状は、断面ほぼ半円形を２連一体に接続した形状に限らず、断面ほぼ山形を２連一体に接続した形状に形成しても良い。
【００８１】
【発明の効果】
以上説明した本発明護岸構築物によれば、護岸体７の消波体固定座９の上部に、内部に遊水室１８を有し、かつ前壁には上下方向と左右方向とにそれぞれ複数の消波孔１７を前記遊水室１８に連通させて設けてなる有底の消波体１５を取り外し可能に設置しているので、消波体１５に例えば係留船が衝突し、消波体１５が破損したような場合に、その破損した消波体１５を取り外し、新たな消波体に交換し、原状に容易に復旧し得る効果がある。
【００８２】
また、本発明護岸構築物では、前記消波体固定座９の上部に、かさ上げブロック２６を載置し、このかさ上げブロック２６の上部に、前記消波体１５を設置しているので、護岸基礎１が沈下した場合でも、消波体１５をかさ上げし、消波体１５に設けられている消波孔１７を、消波効果を発揮する適正位置に、容易に調整し得る効果がある。
【００８３】
さらに、本発明防波堤では、ケーソン本体４７の消波体固定座４９の上部に、内部に遊水室５９を有し、かつ前壁には上下方向と左右方向とにそれぞれ複数の消波孔５８を前記遊水室５９に連通させて設けてなる有底の消波体５６を取り外し可能に設置しているので、この発明においても、消波体５６に例えば係留船が衝突し、消波体５６が破損したような場合に、その破損した消波体５６を取り外し、新たな消波体に交換し、原状に容易に復旧し得る効果がある。
【００８４】
さらにまた、本発明防波堤では、前記消波体固定座４９の上部に、かさ上げブロック６３を載置し、このかさ上げブロック６３の上部に、前記消波体５６を設置しているので、捨石マウンド４１が沈下した場合でも、消波体５６をかさ上げし、消波体５６に設けられている消波孔５８を、消波効果を発揮する適正位置に、容易に調整し得る効果がある。
【図面の簡単な説明】
【図１】本発明の実施例１を示すもので、消波体を用いた護岸構築物の使用状態の鳥瞰図である。
【図２】同護岸構築物の一つのユニットの正面図である。
【図３】図２のＡ−Ａ線縦断側面図である。
【図４】図３のＢ−Ｂ矢視図である。
【図５】図３のＣ−Ｃ線横断平面図である。
【図６】図３のＤ−Ｄ矢視図である。
【図７】護岸構築物の施工順序の説明図である。
【図８】護岸構築物をかさ上げした場合を示すもので、一つのユニットの正面図である。
【図９】図８のＥ−Ｅ線縦断側面図である。
【図１０】図９のＦ−Ｆ矢視図である。
【図１１】護岸構築物のかさ上げ施工順序の説明図である。
【図１２】本発明の実施例２を示すもので、消波体を用いた防波堤の一つのユニットの正面図である。
【図１３】図１２のＧ−Ｇ線縦断側面図である。
【図１４】図１３のＨ−Ｈ線横断平面図である。
【図１５】図１３のＩ−Ｉ線横断平面図である。
【図１６】防波堤をかさ上げした場合を示すもので、一つのユニットの正面図である。
【図１７】図１６のＪ−Ｊ線縦断側面図である。
【図１８】図１７のＫ−Ｋ矢視図である。
【符号の説明】
１  護岸基礎
５  護岸構築物
６  護岸構築物の一つのユニット
７  護岸体
８  護岸体の底盤
９  消波体固定座
１５  消波体
１６  消波体の底部
１７  消波孔
１８  遊水室
２０  上蓋消波体
２２  空気抜き孔
２３  パラペット
２４，２５  固着部材
２６  かさ上げブロック
２９  かさ上げパラペット
４１  捨石マウンド
４５  防波堤
４６  防波堤の一つのユニット
４７  ケーソン本体
４８  ケーソン本体の底盤
４９  消波体固定座
５６  消波体
５７  消波体の底部
５８  消波孔
５９  遊水室
６１  パラペット
６２  固着部材
６３  かさ上げブロック
６６  かさ上げパラペット
【図１】
2004169493.tif 000003
【図２】
2004169493.tif 000004
【図３】
2004169493.tif 000005
【図４】
2004169493.tif 000006
【図５】
2004169493.tif 000007
【図６】
2004169493.tif 000008
【図７】
2004169493.tif 000009
【図８】
2004169493.tif 000010
【図９】
2004169493.tif 000011
【図１０】
2004169493.tif 000012
【図１１】
2004169493.tif 000013
【図１２】
2004169493.tif 000014
【図１３】
2004169493.tif 000015
【図１４】
2004169493.tif 000016
【図１５】
2004169493.tif 000017
【図１６】
2004169493.tif 000018
【図１７】
2004169493.tif 000019
【図１８】
2004169493.tif 000020